(57)【要約】      （修正有）【目的】小物類の出し入れ等を短時間に簡便に行なえるリール付きケースを備えたかばん類を提供する。【構成】持ち手或いは内部に収納空間を有したバッグ本体に、渦巻きバネを利用して紐を巻き取ることが可能なリール式のホルダー３０を備え、紐にキーやパスを収納可能なケース２０を取付けて構成した。持ち手或いはバッグ本体とケースの一方に磁石を、他方に強磁性体を内蔵させて構成してもよい。バッグ本体或いは持ち手とケースの双方に磁石を内蔵させてもよい。ケースの周縁から延設された布片内に磁石あるいは強磁性体を内蔵させてもよい。【選択図】図１
0003214216.tif 000002
【実用新案登録請求の範囲】
【請求項１】
内部に収納空間を有したバッグ本体に渦巻きバネを利用して紐を巻き取ることが可能なリール式のホルダーを備えたこと、当該紐にキーやパスを収納可能なケースが取付けられたことを特徴とするかばん類。
【請求項２】
バッグ本体或いはケースの一方に磁石を、他方に強磁性体を内蔵させた請求項１に記載のかばん類。
【請求項３】
バッグ本体及びケースの双方に磁石を内蔵させた請求項１に記載のかばん類。
【請求項４】
ケースの周縁から延設された布片内に磁石あるいは強磁性体を内蔵させた請求項２又は請求項３に記載のかばん類。
【請求項５】
バッグ本体に連設された持ち手に渦巻きバネを利用して紐を巻き取ることが可能なリール式のホルダーを備えたこと、当該紐にキーやパスを収納可能なケースが取付けられたことを特徴とするかばん類。
【請求項６】
持ち手或いはケースの一方に磁石を、他方に強磁性体を内蔵させた請求項５に記載のかばん類。
【請求項７】
持ち手及びケースの双方に磁石を内蔵させた請求項５に記載のかばん類。
【請求項８】
ケースの周縁から延設された布片内に磁石あるいは強磁性体を内蔵させた請求項６又は請求項７に記載のかばん類。
【考案の詳細な説明】
【技術分野】
【０００１】
本考案は、ショルダーバッグ、メッセンジャーバッグ、トートバッグその他のかばん類に関するものであり、より詳しくは定期券や各種カード類、キーなどを収納可能なリール付きケースを備えたかばん類に関する
【背景技術】
【０００２】
特許文献１には、ショルダーベルトに着脱可能に小物収納本体を取付けたかばん類が開示されている。特許文献２には、キーホルダーを備えると共に定期等のカードが収納できるバッグチャームが開示されている。特許文献３には小物入れポケットを有するかばん類が開示されている。特許文献４には携帯電話その他の小物類の収納部を備えたかばん類が開示されている。
【先行技術文献】
【特許文献】
【０００３】
【特許文献１】登録実用新案公報第３０５７１４２号
【特許文献２】登録実用新案公報第３１７１７０４号
【特許文献３】特開２００４−２３６９５１号公報
【特許文献４】特開２００１−２３１６２１号公報
【考案の開示】
【考案が解決しようとする課題】
【０００４】
通勤や通学時に、持ち物を収納するためかばん類を携行することは普通に行われている。ところが、使用者がかばん類の中に、財布や小銭入れ、定期券、各種カード類、キーなど使用頻度が高かったり、または貴重品としての小物類を収納してしまうと、他の収納物と一緒になって峻別しにくいので、所望の小物類をかばん類内から探し出すのに時間と手間がかかる。
【０００５】
本考案は上記従来の不都合を解決し、かばん類にリール付きケースを引き出し自在に取付けることにより、小物類の出し入れ等を短時間に簡便に行なえるリール付きケースを備えたかばん類を提供することを目的とする。
【課題を解決するための手段】
【０００６】
上記課題を解決する本考案の構成は、以下の通りである。
【０００７】
（１）  請求項１に記載の考案は、内部に収納空間を有したバッグ本体に渦巻きバネを利用して紐を巻き取ることが可能なリール式のホルダーを備え、当該紐にキーやパスを収納可能なケースを取付けて構成した。
【０００８】
（２）  請求項２に記載の考案は、請求項１に記載のかばん類において、バッグ本体或いはケースの一方に磁石を、他方に強磁性体を内蔵させて構成した。
【０００９】
（３）  請求項３に記載の考案は、請求項１に記載のかばん類において、バッグ本体及びケースの双方に磁石を内蔵させて構成した。
【００１０】
（４）  請求項４に記載の考案は、請求項２又は請求項３に記載のかばん類において、ケースの周縁から延設された布片内に磁石あるいは強磁性体を内蔵させて構成した。
【００１１】
（５）  請求項５に記載の考案は、バッグ本体に連設された持ち手に渦巻きバネを利用して紐を巻き取ることが可能なリール式のホルダーを備え、当該紐にキーやパスを収納可能なケースを取付けて構成した。
【００１２】
（６）  請求項６に記載の考案は、請求項５に記載のかばん類において、バッグ本体或いはケースの一方に磁石を、他方に強磁性体を内蔵させて構成した。
【００１３】
（７）  請求項７に記載の考案は、請求項５に記載のかばん類において、バッグ本体及びケースの双方に磁石を内蔵させて構成した。
【００１４】
（８）  請求項８に記載の考案は、請求項６又は請求項７に記載のかばん類において、ケースの周縁から延設された布片内に磁石あるいは強磁性体を内蔵させて構成した。
【考案の効果】
【００１５】
上記のように構成される本考案が、如何に作用して課題を解決するかを図面を参照しながら概説する。
【００１６】
請求項１乃至請求項４記載の考案は、図１や図２に示すようにバッグ本体１１内にリール式のホルダー３０が内装されている。この内装されたホルダー３０は、うず巻きバネの復元力により引き出された紐３１を自動的に巻き取ることが可能に構成されている。
【００１７】
したがって、通常は図１に示すようにケース２０はバッグ本体１１に当接する形状に存し、必要時には図２に示すようにケース２０を引き出し、不要になれば紐３１が自動的に巻き戻され、ケース２０は図１に示す位置に復元することになる。かようにして本考案によれば、小物類の出し入れや、定期券・各種カード類の使用を、短時間に簡便に行なえるリール付きケースを備えたかばん類を提供することが可能となるのである。
【００１８】
さらには請求項２に記載の考案は、バッグ本体１１或いはケース２０の一方に磁石を、他方に強磁性体を内蔵させて構成されており、請求項３に記載の考案は、バッグ本体１１及びケース２０の双方に磁石を内蔵させて構成されている。
【００１９】
かかる構成によりケース２０とバッグ本体１１が、磁石と強磁性体あるいは磁石同士の磁力により強固に固定されることになり、しいては、ケース２０が不使用時にバッグ本体１１から離脱することを抑制することが可能となる。
【００２０】
請求項４に記載の考案では、図６や図７に示すように、ケース２０の周縁から延設された布片２４内に、磁石・強磁性体４０が内蔵されている。これはケース２０内にクレジットカードやＩＣカードなど表面に磁気ストライプが入ったカードが入っている際に、かかるストライプの磁気が破損したり、弱まることを防ぐためである。
【００２１】
請求項５乃至請求項８記載の考案は、図３に示すように持ち手１２内にリール式のホルダー３０が内装されている。この内装されたホルダー３０は、うず巻きバネの復元力により引き出された紐３１を自動的に巻き取ることが可能に構成されている。
【００２２】
したがって、通常は図３に示すようにケース２０は持ち手１２に当接する形状に存し、必要時には図４に示すようにケース２０を引き出し、不要になれば紐３１が自動的に巻き戻され、ケース２０は図３に示す位置に復元することになる。かようにして本考案によれば、小物類の出し入れや、定期券・各種カード類の使用を、短時間に簡便に行なえるリール付きケースを備えたかばん類を提供することが可能となるのである。
【００２３】
さらには請求項６に記載の考案は、持ち手１２或いはケース２０の一方に磁石を、他方に強磁性体を内蔵させて構成されており、請求項７に記載の考案は、持ち手１２及びケース２０の双方に磁石を内蔵させて構成されている。
【００２４】
かかる構成によりケース２０と持ち手１２が、磁石と強磁性体あるいは磁石同士の磁力により強固に固定されることになり、しいては、ケース２０が不使用時に持ち手１２から離脱することを抑制することが可能となる。
【００２５】
請求項８に記載の考案では、図６や図７に示すように、ケース２０の周縁から延設された布片２４内に、磁石・強磁性体４０が内蔵されている。これはケース２０内にクレジットカードやＩＣカードなど表面に磁気ストライプが入ったカードが入っている際に、かかるストライプの磁気が破損したり、弱まることを防ぐためである。
【図面の簡単な説明】
【００２６】
【図１】請求項１乃至請求項４記載の考案の概略斜視図
【図２】同、ケースを引き出した状態を示す概略斜視図
【図３】請求項５乃至請求項８記載の考案の概略斜視図
【図４】同、ケースを引き出した状態を示す概略斜視図
【図５】リール等の収容状態を示す説明図
【図６】ケースの正面図
【図７】ケースの背面図
【考案を実施するための形態】
【００２７】
以下、好ましい本発明の構成要素の実施形態につき、図面を参照しながら概説する。なお、本発明構成要素の実施形態は、下記の実施形態に何ら限定されることはなく、本発明の技術的範囲に属する限り、種々の形態を採りうる。
【００２８】
かばん類１０は、一般的なかばん類と同様上部に開口部を備え、内部に物品を収容可能な袋体状であるバッグ本体１１と、当該バッグ本体１１に連設された持ち手１２を主な構成要素とする。
【００２９】
かばん類１０の素材としては、例えば軽量性、強度と共に防水性，防火性を備えたナイロンが用いられるが、ビニロン、ポリエステル、その他の合成繊維織布或いは綿布等を用いることも可能である。そして、このような素材を裁断、縫合することにより、例えば略長方形の函型の袋体状に形成してなる。素材は、大部分の箇所において表地と裏地の二重構造とされており、薄手の生地よりなり柔軟性を備え自由に変形可能である。
【００３０】
かばん類本体１０の上面には、持ち手１２が付設されている。持ち手１２は、長尺状の平帯１２ａと、短尺状の平帯１２ｂとにより構成される。平帯１２ａと平帯１２ｂは長さ調整部材１３を介して、長さ調整可能に形成されるものである。平帯１２ａと平帯１２ｂそれぞれの一方端部は、バッグ本体１１の上端部に取り付けられている。
【００３１】
上記かばん類１０の構成はむろん一例であり、バッグ本体１１と持ち手１２を備える種々かばん類、例えばショルダーバッグ、メッセンジャーバッグ、トートバッグ等で本考案は実施可能である。
【００３２】
バッグ本体１１或いは持ち手１２には図５に示すように、磁石あるいは強磁性体４０及びリール式のホルダー３０が内蔵されている。
【００３３】
磁石あるいは強磁性体４０の内蔵位置は、紐３１を巻き戻した際に、磁石あるいは強磁性体４１が内蔵されたケース２０の布片２４がバッグ本体１１或いは持ち手１２に当接する位置近傍である。
【００３４】
磁石あるいは強磁性体４０及びリール式のホルダー３０は、図５に示すように縫着された内生地１４で、バッグ本体１１或いは持ち手１２に固定されている。むろんこれは一例であり、バッグ本体１１或いは持ち手１２に貼着してもよいし、治具を用いて固定すると任意の手段を採用可能である。
【００３５】
ケース２０はその内部に仕切りを備えた袋体であり、仕切りにより二つの隔離された内部収納空間を備えるものである。それぞれの内部収納空間はファスナ２１，２２により開閉自在となっている。ケース２０の素材としては、かばん類本体１０と同様の素材、例えばナイロン、ビニロン、ポリエステル、その他の合成繊維織布を用いることが可能である。
【００３６】
図６に示されるケース２０の正面側には、内部収納空間に収納されたものを視認できるように、透明の樹脂シート２３が設けられている。他方で背面側の内部収納空間は主に小銭などを入れることを予定したものである。
【００３７】
図７に示されるように、ケース２０の背面側にはポケット２５が設けられている。ポケット２５の内部下端からはベルト２６が延設されており、ベルト２６の端部にはキーを取り付け可能なリング２７が設けられている。かかる構造ゆえに、キーをポケット２５内に収容することが可能となるものである。
【００３８】
図６、図７に示すように、ケース２０の周縁からは布片２４が延設されている。布片２４はケース２０と同素材より成る二枚の布片をその外周縁において縫合したものであり、その内部には磁石あるいは強磁性体４１が内蔵されている。なお、バッグ本体１１或いは持ち手１２に内蔵される磁石あるいは強磁性体４０と、布片２４に内蔵される磁石あるいは強磁性体４１の組み合わせは、一方が強磁性体の場合は他方は磁石となる。
【００３９】
リール式のホルダー３０は、うず巻きバネの復元力により、引き出された紐３１を自動的に巻き取ることが可能に構成されている。具体的には、紐３１を巻き取るドラムと、糸を巻き取る方向にドラムを付勢するうず巻きバネとをケース内に納めることにより構成されるものである。紐３１の一方端は図３や図４に示すように布片２４に取り付けられたリング２４ａに補強部材３１ａを介して取り付けられている。
【符号の説明】
【００４０】
１０・・かばん類
１１・・バッグ本体
１２・・持ち手
１３・・長さ調整部材
１４・・内生地
２０・・ケース
２１・・ファスナ
２２・・ファスナ
２３・・樹脂シート
２４・・布片
２４ａ・・リング
２５・・ポケット
２６・・ベルト
２７・・リング
３０・・ホルダー
３１・・紐
３１ａ・・補強部材
４０・・磁石あるいは強磁性体
４１・・磁石あるいは強磁性体
【図１】
0003214216.tif 000003
【図２】
0003214216.tif 000004
【図３】
0003214216.tif 000005
【図４】
0003214216.tif 000006
【図５】
0003214216.tif 000007
【図６】
0003214216.tif 000008
【図７】
0003214216.tif 000009